(57)【要約】【課題】空気袋の膨張によるマッサージ力を有効に利用する。【解決手段】人体のふくらはぎ部の圧迫のための空気袋１と、人体の大腿部から臀部にかけての部分を下方から押圧する空気袋２，３と、これら空気袋１，２，３を膨張収縮させる給排気手段９とを備える。上記給排気手段９は、大腿部から臀部にかけての部分を下方から押圧する空気袋２，３への給気膨張を人体のふくらはぎ部の圧迫のための空気袋１を膨張させた状態で行う。ふくらはぎ部を圧迫固定した状態で大腿部から臀部にかけての部分を下方から押圧するようにしたものである。【選択図】図１
2006181376.tif 000002
【特許請求の範囲】
【請求項１】
人体のふくらはぎ部の圧迫のための空気袋と、人体の大腿部から臀部にかけての部分を下方から押圧する空気袋と、これら空気袋を膨張収縮させる給排気手段とを備えたマッサージ機であって、上記給排気手段は、大腿部から臀部にかけての部分を下方から押圧する空気袋への給気膨張を人体のふくらはぎ部の圧迫のための空気袋を膨張させた状態で行うものであることを特徴とするマッサージ機。
【請求項２】
給排気手段は、人体の末梢側に位置する空気袋から人体の心臓側に位置する空気袋へと順次給気をするものであるとともに、全空気袋への給気完了まで末梢側空気袋の膨張状態維持を行うものであることを特徴とする請求項１記載のマッサージ機。
【請求項３】
人体の大腿部から臀部にかけての部分を下方から押圧する空気袋は人体の長手方向に沿った形状となっていることを特徴とする請求項１または２記載のマッサージ機。
【請求項４】
人体の大腿部から臀部にかけての部分を側方から押圧する空気袋を備えていることを特徴とする請求項１〜３のいずれかの項に記載のマッサージ機。
【発明の詳細な説明】
【技術分野】
【０００１】
本発明は座ったり寝たりしている状態の人体に対して膨張収縮する空気袋によってマッサージを行うマッサージ機に関するものである。
【背景技術】
【０００２】
図６に示すように、椅子の座部６の前端側に大腿部のマッサージ用の空気袋２を、座部６の後端側に臀部のマッサージ用の空気袋３を配置し、さらに座部６の前端に回動自在に取り付けた脚載せ台４にふくらはぎ部のマッサージ用の空気袋１を配置したマッサージ機がある。給排気手段に接続される上記各空気袋１，２，３は、その膨張により、人体を圧迫マッサージする。なお、図示のものにおいては、背もたれ部８にも空気袋１１を配置して、人体の背中や腰についても圧迫マッサージを行えるようにしている。
【０００３】
ところで、脚載せ台４に設けた空気袋１は、ふくらはぎ部を両側から挟むように圧迫するのに対して、大腿部用の空気袋２や臀部用の空気袋３は、その膨張によって大腿部及び臀部を下方から押し上げるものであり、このために人体が上方に浮き上がってしまって、空気袋２，３の膨張によって生じるマッサージ力を有効に利用することができない。
【０００４】
また、マッサージに際しては、静脈内の血液が心臓に向かうようにすることが好ましいとされているのに対して、従来の空気袋１，２，３の膨張収縮制御はこの点に対処したものとなっておらず、空気袋２，３が人体の長手方向と直交する方向に長く形成されていて、その膨張時に血液の流れを塞き止めるような形状となることもあって、マッサージとして好ましい結果を得ることができないものであった。
【発明の開示】
【発明が解決しようとする課題】
【０００５】
本発明は上記の従来の問題点に鑑みて発明したものであって、空気袋の膨張によるマッサージ力を有効に利用することができ、静脈内の血液を好ましい方向に流すことができて効果的なマッサージを得ることができるマッサージ機を提供するにある。
【課題を解決するための手段】
【０００６】
上記課題を解決するために本発明に係るマッサージ機は、人体のふくらはぎ部の圧迫のための空気袋と、人体の大腿部から臀部にかけての部分を下方から押圧する空気袋と、これら空気袋を膨張収縮させる給排気手段とを備えたものにおいて、上記給排気手段は、大腿部から臀部にかけての部分を下方から押圧する空気袋への給気膨張を人体のふくらはぎ部の圧迫のための空気袋を膨張させた状態で行うものであることに特徴を有している。ふくらはぎ部を圧迫固定した状態で大腿部から臀部にかけての部分を下方から押圧するようにしたものである。
【０００７】
この時、給排気手段は、人体の末梢側に位置する空気袋から人体の心臓側に位置する空気袋へと順次給気をするものであるとともに、全空気袋への給気完了まで末梢側空気袋の膨張状態維持を行うものとしておくと、静脈内の血液の流れを心臓へ向かうものとすることができ、マッサージ効果を高めることができる。
【０００８】
また、人体の大腿部から臀部にかけての部分を下方から押圧する空気袋を人体の長手方向に沿った形状としておくことも好ましい。空気袋が血液の流れを阻害してしまうことがないために、マッサージ効果を高めることができる。
【０００９】
人体の大腿部から臀部にかけての部分を側方から押圧する空気袋を併せ持つものとするのも好ましい。人体を押圧してマッサージすることができる部分が広くなるだけでなく、大腿部から臀部にかけての部分を下方から押圧する空気袋を膨張させた時の人体の浮き上がりを防ぐことができるために、空気袋の膨張によるマッサージ力の伝達効率をさらに高めることができる。
【発明の効果】
【００１０】
本発明は、人体のふくらはぎ部の圧迫のための空気袋と、人体の大腿部から臀部にかけての部分を下方から押圧する空気袋と、これら空気袋を膨張収縮させる給排気手段とを備えたマッサージ機において、上記給排気手段は、大腿部から臀部にかけての部分を下方から押圧する空気袋への給気膨張を人体のふくらはぎ部の圧迫のための空気袋を膨張させた状態で行うために、ふくらはぎ部を圧迫固定した状態で大腿部から臀部にかけての部分を下方から押圧することができるものであり、このために人体の大腿部から臀部にかけての部分が空気袋の膨張で浮き上がってしまうことを防ぐことができるものであって、空気袋の膨張によるマッサージ力の伝達効率を高めることができる。
【発明を実施するための最良の形態】
【００１１】
以下本発明を実施の形態の一例に基づいて詳述すると、図示例のマッサージ機は、座部６とリクライニング自在とされている背もたれ８と、アームレストを兼ねたフレーム７とからなる椅子型のもので、その背もたれ８内には指圧マッサージを行うマッサージ手段（図示せず）を内蔵している。また、座部６の前方には脚載せ台４が配設されている。この脚載せ台４は、椅子のフレーム７にレイジィトング機構である伸縮機構５を介して取りつけられたもので、不使用時には伸縮機構５を縮めることで、座部６の下方に収納してしまうことができるようになっている。
【００１２】
そして、座部６の上面の前端寄りの左右には、それぞれ大腿部のマッサージ用の空気袋２，２を配置し、座部６の上面の後端寄りの左右には、それぞれ臀部のマッサージ用の空気袋３，３を配置し、脚載せ台４にはふくらはぎ部のマッサージ用の空気袋１，１をそれぞれ配置してある。
【００１３】
ここで、脚載せ台４に設けた空気袋１，１は、脚載せ台１のフレームから吊り下げられることで断面Ｕ字形をなすものとなっており、その凹溝部分にふくらはぎ部を納めて空気袋１を膨張させれば、ふくらはぎ部は左右から圧迫されるものとなっている。
【００１４】
そして、これら空気袋１，２，３は、給排気手段９にチューブ１０で接続されて、給排気手段９によってその膨張収縮がなされるようにしているのであるが、この時、これら空気袋１，２，３に対する給排気は、図３に示すタイミングで行われるように（図中○は給気、△は保持、×は排気）してある。
【００１５】
すなわち、まず脚載せ台４の空気袋１を膨張させ、次いで大腿部用の空気袋２を膨張させ、その後、臀部用の空気袋３を膨張させ、最後に全空気袋１，２，３を収縮させるのである。膨張させた空気袋１，２は、最後の同時収縮の時点まで膨張状態を維持するようにしてある。これは、空気袋１，２，３の膨張が静脈内の血液を心臓に向かう方向へ送ることができるようにしているためである。
【００１６】
また、空気袋２，３は、人体の長手方向に沿った形状となるようにしているのも、空気袋２，３の膨張が静脈内の血液の流れを阻害してしまうことがないようにするためである。
【００１７】
加えるに、空気袋２，３を膨張させる時点で、空気袋１が膨らんだままの状態となっているのであるが、空気袋１は前述のように左右からふくらはぎ部を圧迫するものとなっているために、空気袋１による圧迫で人体のふくらはぎ部は固定されることになる。従って、ふくらはぎ部が固定された状態で空気袋２，３が膨張して大腿部や臀部を下方から押圧するわけであり、ふくらはぎ部の固定で人体の浮き上がりが抑えられるために、空気袋２，３の膨張によるマッサージ力が有効に人体に作用することになる。
【００１８】
図４及び図５に他例を示す。ここでは座部６に配した２個の空気袋３，３を人体の大腿部から臀部にかけての部分に接して膨張時に下方から押圧するものとしてあり、またこれら空気袋３，３の両側には膨張時に人体の大腿部から臀部にかけての部分を側方から押圧することになる空気袋３０，３０を配してある。なお、空気袋３０，３０の外側面には硬質合成樹脂等からなるバックアッププレート３１を配してあり、該空気袋３０，３０は、上記空気袋３，３と同時に、あるいは少しだけ早く膨張するように給排気タイミングを設定してある。図５中のＭは背もたれ８内を背もたれに沿って上下移動自在となっているマッサージ機構、Ｃは操作器である。
【００１９】
空気袋３を膨張させて大腿部及び臀部を下方から押圧する時、空気袋３０が大腿部及び臀部を側方から押圧して大腿部や臀部が浮いてしまうことを防ぐものであり、従って、空気袋３の膨張によるマッサージ力がさらに有効に人体に作用することになるものであり、また空気袋３０が大腿部や臀部を側方から押圧することは、人体に対するマッサージの作用範囲をさらに広くしたことにもなる。
【００２０】
さらに脚載せ台４には各脚用に夫々２つの空気袋１ａ，１ｂを設けてある。この２つの空気袋１ａ，１ｂは、同時に膨張するのではなく、末梢側に位置する空気袋１ａが先に膨張し、次いで空気袋１ｂが膨張するようにしてあるために、ふくらはぎにおける静脈内の血液を心臓に向かう方向へ送ることができる。
【図面の簡単な説明】
【００２１】
【図１】本発明の実施の形態の一例の破断側面図である。
【図２】同上の斜視図である。
【図３】同上の空気袋の給排タイミングの説明図である。
【図４】他例の外観を示す斜視図である。
【図５】同上の内部構造を示す斜視図である。
【図６】従来例の斜視図である。
【符号の説明】
【００２２】
１  空気袋
２  空気袋
３  空気袋
４  脚載せ台
６  座部
９  給排気手段
【図１】
2006181376.tif 000003
【図２】
2006181376.tif 000004
【図３】
2006181376.tif 000005
【図４】
2006181376.tif 000006
【図５】
2006181376.tif 000007
【図６】
2006181376.tif 000008